(57)【要約】【課題】ネットワークの通信品質の試験を効率的に行うことができる情報提供装置などを提供する。【解決手段】情報提供装置は、第１の通信装置から送信された通信品質測定の要求信号を、当該第１の通信装置が接続された第１のネットワークおよび自装置が接続された第２のネットワークを介して、受信する要求信号受信部と、前記要求信号受信部により受信された前記要求信号に基づいて、前記第１のネットワークを特定する特定部と、前記特定部により特定された前記第１のネットワークに関する前記通信品質測定で使用される情報を前記第１の通信装置に送信する情報送信部と、を備える。【選択図】図１
2016184867.tif 000002
【特許請求の範囲】
【請求項１】
第１の通信装置から送信された通信品質測定の要求信号を、当該第１の通信装置が接続された第１のネットワークおよび自装置が接続された第２のネットワークを介して、受信する要求信号受信部と、
前記要求信号受信部により受信された前記要求信号に基づいて、前記第１のネットワークを特定する特定部と、
前記特定部により特定された前記第１のネットワークに関する前記通信品質測定で使用される情報を前記第１の通信装置に送信する情報送信部と、
を備える情報提供装置。
【請求項２】
前記第１のネットワークを特定する情報と前記通信品質測定で使用される情報とを対応付けて記憶する記憶部から、前記特定部により特定された前記第１のネットワークに対応付けられた前記通信品質測定で使用される情報を取得する情報取得部を備え、
前記情報送信部は、前記情報取得部により取得された情報を送信する、
請求項１に記載の情報提供装置。
【請求項３】
前記第１の通信装置との間で前記第１のネットワークおよび前記第２のネットワークを介して通信して前記通信品質測定を行う通信品質測定部を備える、
請求項１または請求項２のいずれか１項に記載の情報提供装置。
【請求項４】
前記通信品質測定部は、前記通信品質測定を行う前に前記第２のネットワークの通信状況の判定を行い、当該判定の結果が所定の条件を満たす場合に、前記通信品質測定を行う、
請求項３に記載の情報提供装置。
【請求項５】
前記特定部により特定された前記第１のネットワークに接続された前記第１の通信装置に対して、通信品質測定の要求信号を送信する要求信号送信部を備え、
前記情報送信部は、前記要求信号送信部により前記要求信号を前記第１の通信装置に対して送信する場合、前記第１のネットワークに関する前記通信品質測定で使用される情報を前記第１の通信装置に送信する、
請求項１から請求項４のいずれか１項に記載の情報提供装置。
【請求項６】
前記要求信号は、前記通信品質測定の相手を示す情報として、第３のネットワークに接続された第２の通信装置を識別する情報を含み、
前記特定部は、前記要求信号受信部により受信された前記要求信号に基づいて、前記第１のネットワークおよび前記第３のネットワークを特定し、
前記情報送信部は、前記特定部による特定の結果に基づいて、前記第１の通信装置と前記第２の通信装置との間で前記第１のネットワークおよび前記第３のネットワークを介して通信して行う通信品質測定で使用される情報を、前記第１の通信装置に送信する、
請求項１から請求項５のいずれか１項に記載の情報提供装置。
【請求項７】
前記要求信号受信部は、第３の通信装置から送信された通信品質測定の要求信号を、当該第３の通信装置が接続された第４のネットワークおよび自装置が接続された第２のネットワークを介して、受信し、
前記特定部は、前記要求信号受信部により受信された前記要求信号に基づいて、前記第４のネットワークを特定し、
前記情報送信部は、前記特定部による特定の結果に基づいて、前記第１の通信装置と前記第３の通信装置との間で前記第１のネットワークおよび前記第４のネットワークを介して通信して行う通信品質測定で使用される情報を、前記第１の通信装置および前記第３の通信装置のうちの一方または両方に送信する、
請求項１から請求項６のいずれか１項に記載の情報提供装置。
【請求項８】
自装置が接続された第１のネットワークを特定する情報を含む通信品質測定の要求信号を、第２のネットワークに接続された情報提供装置に送信する要求信号送信部と、
前記要求信号に応じて前記情報提供装置から送信された前記第１のネットワークに関する前記通信品質測定で使用される情報を受信する情報受信部と、
前記通信品質測定を行う通信品質測定部と、
を備える通信装置。
【請求項９】
前記通信品質測定部は、前記情報提供装置との間で前記第１のネットワークおよび前記第２のネットワークを介して通信して前記通信品質測定を行う、
請求項８に記載の通信装置。
【請求項１０】
前記要求信号送信部は、前記第１のネットワークを特定する情報を含むとともに前記通信品質測定の相手を示す情報として第３のネットワークに接続された他の通信装置を識別する情報を含む通信品質測定の要求信号を送信し、
前記情報受信部は、前記他の通信装置との間で前記第１のネットワークおよび前記第３のネットワークを介して通信して行う通信品質測定で使用される情報を、受信し、
前記通信品質測定部は、前記他の通信装置との間で前記第１のネットワークおよび前記第３のネットワークを介して通信して前記通信品質測定を行う、
請求項８に記載の通信装置。
【請求項１１】
前記通信品質測定部は、前記第１のネットワークに設定される通信品質と、前記第３のネットワークに設定される通信品質と、のうちで低い方の通信品質を基準に、前記通信品質測定を行う、
請求項１０に記載の通信装置。
【請求項１２】
第１の通信装置と、前記第１の通信装置が接続された第１のネットワークと、情報提供装置と、前記情報提供装置が接続された第２のネットワークと、を備え、
前記第１の通信装置は、通信品質測定の要求信号を、前記第１のネットワークおよび前記第２のネットワークを介して、送信し、
前記情報提供装置は、前記第１の通信装置から送信された前記要求信号を受信し、受信した前記要求信号に基づいて前記第１のネットワークを特定し、特定した前記第１のネットワークに関する前記通信品質測定で使用される情報を前記第１の通信装置に送信し、
前記第１の通信装置は、前記情報提供装置から送信された前記第１のネットワークに関する前記通信品質測定で使用される情報を受信し、前記通信品質測定を行う、
通信システム。
【請求項１３】
情報提供装置において、
第１の通信装置から送信された通信品質測定の要求信号を、当該第１の通信装置が接続された第１のネットワークおよび当該情報提供装置が接続された第２のネットワークを介して、受信し、
受信された前記要求信号に基づいて、前記第１のネットワークを特定し、
特定された前記第１のネットワークに関する前記通信品質測定で使用される情報を前記第１の通信装置に送信する、
情報提供方法。
【請求項１４】
前記特定された前記第１のネットワークに接続された前記第１の通信装置に対して、通信品質測定の要求信号を送信し、
前記要求信号を前記第１の通信装置に対して送信する場合、前記第１のネットワークに関する前記通信品質測定で使用される情報を前記第１の通信装置に送信する、
請求項１３に記載の情報提供方法。
【請求項１５】
情報提供装置を構成するコンピュータに、
第１の通信装置から送信された通信品質測定の要求信号を、当該第１の通信装置が接続された第１のネットワークおよび当該情報提供装置が接続された第２のネットワークを介して、受信するステップと、
受信された前記要求信号に基づいて、前記第１のネットワークを特定するステップと、
特定された前記第１のネットワークに関する前記通信品質測定で使用される情報を前記第１の通信装置に送信するステップと、
を実行させるためのプログラム。
【発明の詳細な説明】
【技術分野】
【０００１】
本発明は、情報提供装置、通信装置、通信システム、情報提供方法およびプログラムに関する。
【背景技術】
【０００２】
通信事業者が保有する広域のＩＰ（Ｉｎｔｅｒｎｅｔ  Ｐｒｏｔｏｃｏｌ）通信網を経由して構築される仮想私設通信網（ＶＰＮ：Ｖｉｒｔｕａｌ  Ｐｒｉｖａｔｅ  Ｎｅｔｗｏｒｋ）であるＩＰ−ＶＰＮが知られている。
また、ルータで構築したネットワークにおいて離隔した拠点のＬＡＮ（Ｌｏｃａｌ  Ａｒｅａ  Ｎｅｔｗｏｒｋ）同士でイーサネット（登録商標、以下も同様である。）のＭＡＣ（Ｍｅｄｉａ  Ａｃｃｅｓｓ  Ｃｏｎｔｒｏｌ）フレームを送受信することができる広域イーサネットサービスを提供するＶＰＬＳ（Ｖｉｒｔｕａｌ  Ｐｒｉｖａｔｅ  ＬＡＮ  Ｓｅｒｖｉｃｅ）が知られている。
【０００３】
ＩＰ−ＶＰＮまたはＶＰＬＳの回線の開通時に、契約通りに通信品質が設定されているか否かを試験することが行われる（例えば、非特許文献１参照。）。当該試験を行うためには、専用の知識を有する作業員が専用の端末装置を試験を行う場所に持っていき、当該端末装置を設置する必要があった。また、当該試験を行うためには、当該作業員以外にも、試験に対応する者の配備が必要であった。
また、ネットワークのテスターを使用すると、ネットワークで輻輳が発生する可能性があった。
【先行技術文献】
【非特許文献】
【０００４】
【非特許文献１】“ＩＰネットワークのＱｏＳ検証・評価”、アンリツ株式会社、［ｏｎｌｉｎｅ］、［平成２７年３月１３日検索］、インターネット ＜URL:http://www.anritsu.com/ja-JP/Products-Solutions/solutions/ip-qos.aspx＞
【発明の概要】
【発明が解決しようとする課題】
【０００５】
従来では、ＩＰ−ＶＰＮまたはＶＰＬＳにおいて、ネットワークの通信品質の試験を行うために、専用の機器および専用の知識を有する者が必要であった。また、ネットワークで輻輳が発生する可能性があった。
【０００６】
本発明は、このような事情を考慮してなされたもので、ネットワークの通信品質の試験を効率的に行うことができる情報提供装置、通信装置、通信システム、情報提供方法およびプログラムを提供することを課題とする。
【課題を解決するための手段】
【０００７】
上記の課題を解決するために、一態様に係る情報提供装置は、第１の通信装置から送信された通信品質測定の要求信号を、当該第１の通信装置が接続された第１のネットワークおよび自装置が接続された第２のネットワークを介して、受信する要求信号受信部と、前記要求信号受信部により受信された前記要求信号に基づいて、前記第１のネットワークを特定する特定部と、前記特定部により特定された前記第１のネットワークに関する前記通信品質測定で使用される情報を前記第１の通信装置に送信する情報送信部と、を備える。
【０００８】
上記の課題を解決するために、一態様に係る通信装置は、自装置が接続された第１のネットワークを特定する情報を含む通信品質測定の要求信号を、第２のネットワークに接続された情報提供装置に送信する要求信号送信部と、前記要求信号に応じて前記情報提供装置から送信された前記第１のネットワークに関する前記通信品質測定で使用される情報を受信する情報受信部と、前記通信品質測定を行う通信品質測定部と、を備える。
【発明の効果】
【０００９】
本発明によれば、ネットワークの通信品質の試験を効率的に行うことができる。
【図面の簡単な説明】
【００１０】
【図１】本発明の一実施形態に係る通信システムの概略的な構成を示すブロック図である。
【図２】本発明の一実施形態に係る試験サーバ装置の概略的な構成を示すブロック図である。
【図３】本発明の一実施形態に係る試験クライアント装置の概略的な構成を示すブロック図である。
【図４】本発明の一実施形態に係るネットワーク通信品質情報の一例を示す図である。
【発明を実施するための形態】
【００１１】
以下、図面を参照し、本発明の実施形態について説明する。
【００１２】
［通信システムの概要］
図１は、本発明の一実施形態に係る通信システム１の概略的な構成を示すブロック図である。
通信システム１は、試験サーバ装置１１と、データベース１２と、オペレータ端末装置１３と、チケットシステム１４と、複数の試験クライアント装置２１−１〜２１−４と、基地局装置３１と、モバイル端末装置３２を備える。また、通信システム１は、複数のルータ装置Ｒ１〜Ｒ３、Ｒ１１〜Ｒ１３、Ｒ２１〜Ｒ２３、Ｒ３１〜Ｒ３３、Ｒ４１〜Ｒ４２、Ｒ５１〜Ｒ５２、Ｒ６１、Ｒ７１〜Ｒ７２、Ｒ８１、Ｒ９１〜Ｒ９２、Ｒ１０１を備える。
本実施形態では、各試験クライアント装置２１−１〜２１−４と接続されるルータ装置Ｒ５１〜Ｒ５２、Ｒ６１、Ｒ８１は、ＣＥ（Ｃｕｓｔｏｍｅｒ  Ｅｄｇｅ）ルータの装置である。
【００１３】
通信システム１は、監視ネットワークＡ１、バックボーンネットワークＢ１、ネットワーク間インタフェース（ＮＮＩ：Ｎｅｔｗｏｒｋ  Ｎｅｔｗｏｒｋ  Ｉｎｔｅｒｆａｃｅ）Ｃ１、Ｃ２、およびインターネットネットワークＤ１、Ｄ２を有する。なお、これらの各ネットワークＢ１、Ｃ１〜Ｃ２、Ｄ１〜Ｄ２は、本実施形態で名称を付して区別しているが、任意の名称であってもよい。
監視ネットワークＡ１は、試験サーバ装置１１と、データベース１２と、ルータ装置Ｒ１〜Ｒ３を含む。
バックボーンネットワークＢ１は、ルータ装置Ｒ２１〜Ｒ２３を含む。本実施形態では、バックボーンネットワークＢ１は、ＭＰＬＳ（Ｍｕｌｔｉ−Ｐｒｏｔｏｃｏｌ  Ｌａｂｅｌ  Ｓｗｉｔｃｈｉｎｇ）を用いて構成されている。
ネットワーク間インタフェースＣ１は、ルータ装置Ｒ３１〜Ｒ３３を含む。
ネットワーク間インタフェースＣ２は、ルータ装置Ｒ７１〜Ｒ７２を含む。
インターネットネットワークＤ１は、ルータ装置Ｒ４１〜Ｒ４２を含む。
インターネットネットワークＤ２は、ルータ装置Ｒ９１〜Ｒ９２を含む。
【００１４】
ここで、本実施形態では、各ネットワークＢ１、Ｃ１〜Ｃ２、Ｄ１〜Ｄ２について、内部のルータ装置と外部のルータ装置とを接続することで、これらのルータ装置を介して内部の装置と外部の装置とが通信する構成とした。他の構成例として、各ネットワークＢ１、Ｃ１〜Ｃ２、Ｄ１〜Ｄ２について、内部のルータ装置と外部のルータ装置を備える代わりに、これら両方の機能を有する１個のルータ装置を備えてもよい。
なお、各ネットワークＢ１、Ｃ１〜Ｃ２、Ｄ１〜Ｄ２には、他の装置が含まれてもよい。
【００１５】
オペレータ端末装置１３は、ルータ装置Ｒ１１と接続されている。ルータ装置Ｒ１１は、監視ネットワークＡ１のルータ装置Ｒ１と接続されている。
チケットシステム１４は、ルータ装置Ｒ１２と接続されている。ルータ装置Ｒ１２は、監視ネットワークＡ１のルータ装置Ｒ３と接続されている。
チケットシステム１４は、ルータ装置Ｒ１３と接続されている。ルータ装置Ｒ１３は、インターネットネットワークＤ２のルータ装置Ｒ９１と接続されている。
基地局装置３１は、ルータ装置Ｒ１０１と接続されている。ルータ装置Ｒ１０１は、インターネットネットワークＤ２のルータ装置Ｒ９２と接続されている。
基地局装置３１とモバイル端末装置３２とは、無線により通信する。
【００１６】
監視ネットワークＡ１のルータ装置Ｒ２とバックボーンネットワークＢ１のルータ装置Ｒ２１とが接続されている。
バックボーンネットワークＢ１のルータ装置Ｒ２２とネットワーク間インタフェースＣ１のルータ装置Ｒ３１とが接続されている。
バックボーンネットワークＢ１のルータ装置Ｒ２３とネットワーク間インタフェースＣ２のルータ装置Ｒ７１とが接続されている。
ネットワーク間インタフェースＣ１のルータ装置Ｒ３２とインターネットネットワークＤ１のルータ装置Ｒ４１とが接続されている。
【００１７】
試験クライアント装置２１−１は、ルータ装置Ｒ５１と接続されている。ルータ装置Ｒ５１は、インターネットネットワークＤ１のルータ装置Ｒ４２と接続されている。
試験クライアント装置２１−２は、ルータ装置Ｒ５２と接続されている。ルータ装置Ｒ５２は、インターネットネットワークＣ１のルータ装置Ｒ３３と接続されている。
試験クライアント装置２１−３は、ルータ装置Ｒ６１と接続されている。ルータ装置Ｒ６１は、バックボーンネットワークＢ１のルータ装置Ｒ２２と接続されている。
試験クライアント装置２１−４は、ルータ装置Ｒ８１と接続されている。ルータ装置Ｒ８１は、ネットワーク間インタフェースＣ２のルータ装置Ｒ７２と接続されている。
【００１８】
本実施形態では、試験クライアント装置２１−１〜２１−３、ルータ装置Ｒ５１、Ｒ５２、Ｒ６１、インターネットネットワークＤ１、ネットワーク間インタフェースＣ１、およびルータ装置Ｒ２２により、ＩＰＶネットワーク（ＩＰ−ＶＰＮ）１０１が構成されている。
また、本実施形態では、試験クライアント装置２１−４、ルータ装置Ｒ８１、ネットワーク間インタフェースＣ２、およびバックボーンネットワークＢ１のルータ装置Ｒ２３により、ＩＰＶネットワーク１０２が構成されている。
【００１９】
ここで、本実施形態では、各試験クライアント装置２１−１〜２１−４について、当該各試験クライアント装置２１−１〜２１−４とバックボーンネットワークＢ１との間に存在するネットワークをローカルネットワークと呼ぶ。つまり、本実施形態では、各試験クライアント装置２１−１〜２１−４は、当該各試験クライアント装置２１−１〜２１−４と接続されたローカルネットワークを介して、バックボーンネットワークＢ１と接続される。
本実施形態では、例えば、バックボーンネットワークＢ１を管理する通信事業者と、各ローカルネットワークを管理する通信事業者とは、異なる。
本実施形態では、各試験クライアント装置２１−１〜２１−４と接続されたローカルネットワークに関する通信品質測定を行う。当該ローカルネットワークの通信品質は、例えば、当該ローカルネットワークを管理する通信事業者がバックボーンネットワークＢ１を管理する通信事業者と契約した通信品質となる。
一例として、バックボーンネットワークＢ１を管理する通信事業者が日本国の通信事業者であり、ネットワーク間インタフェースＣ１、Ｃ２を用いてローカルネットワークを構成して管理する通信事業者が日本国以外（例えば、米国など）の通信事業者である場合がある。また、国ごとの通信事業者以外にも、国の中の地域ごとなどの通信事業者もあり得る。
なお、バックボーンネットワークＢ１を管理する通信事業者と、ローカルネットワークを管理する通信事業者とが同じであってもよく、本実施形態を適用することが可能である。
【００２０】
図２は、本発明の一実施形態に係る試験サーバ装置１１の概略的な構成を示すブロック図である。
試験サーバ装置１１は、記憶部２０１と、通信部２０２と、制御部２０３と、入力部２４１と、出力部２４２を備える。制御部２０３は、要求信号受信部２２１と、特定部２２２と、情報取得部２２３と、情報送信部２２４と、通信品質測定部２２５と、要求信号送信部２２６を備える。
記憶部２０１は、各種の情報を記憶する。記憶部２０１は、例えば、プログラムの情報を記憶する。
また、記憶部２０１は、通信システム１におけるネットワーク構成の情報を記憶する。ネットワーク構成の情報は、例えば、網トポロジーの情報である。
通信部２０２は、外部との通信を行う。
制御部２０３は、試験サーバ装置１１における各種の処理の制御を行う。制御部２０３は、例えば、ＣＰＵ（Ｃｅｎｔｒａｌ  Ｐｒｏｃｅｓｓｉｎｇ  Ｕｎｉｔ）を用いて構成されており、記憶部２０１に記憶されたプログラムを実行することで、各種の処理を制御する。
入力部２４１は、外部から情報を入力する。入力部２４１は、例えば、人（オペレータ、または、他の人）により操作される操作部を有し、当該操作部の操作に応じた情報を入力してもよい。また、入力部２４１は、例えば、外部の装置から出力された情報を入力してもよい。
出力部２４２は、外部へ情報を出力する。出力部２４２は、例えば、画面を有し、当該画面に情報を表示出力してもよい。また、出力部２４２は、例えば、外部の装置へ情報を出力してもよい。
なお、人が画面に表示されたキーなどに接触したことに応じて情報を入力するタッチパネルが用いられてもよい。
【００２１】
図３は、本発明の一実施形態に係る試験クライアント装置２１−１の概略的な構成を示すブロック図である。なお、他の試験クライアント装置２１−２〜２１−４についても、試験クライアント装置２１−１と同様な構成を有する。
試験クライアント装置２１−１は、記憶部３０１と、通信部３０２と、制御部３０３と、入力部３４１と、出力部３４２を備える。制御部３０３は、要求信号送信部３２１と、情報受信部３２２と、通信品質測定部３２３と、要求信号受信部３２４を備える。
記憶部３０１は、各種の情報を記憶する。記憶部３０１は、例えば、プログラムの情報を記憶する。
通信部３０２は、外部との通信を行う。
制御部３０３は、試験クライアント装置２１−１における各種の処理の制御を行う。制御部３０３は、例えば、ＣＰＵを用いて構成されており、記憶部３０１に記憶されたプログラムを実行することで、各種の処理を制御する。
入力部３４１は、外部から情報を入力する。入力部３４１は、例えば、人（作業員、または、他の人）により操作される操作部を有し、当該操作部の操作に応じた情報を入力してもよい。また、入力部３４１は、例えば、外部の装置から出力された情報を入力してもよい。
出力部３４２は、外部へ情報を出力する。出力部３４２は、例えば、画面を有し、当該画面に情報を表示出力してもよい。また、出力部３４２は、例えば、外部の装置へ情報を出力してもよい。
なお、人が画面に表示されたキーなどに接触したことに応じて情報を入力するタッチパネルが用いられてもよい。
【００２２】
図４は、本発明の一実施形態に係るネットワーク通信品質情報４０１の一例を示す図である。
本実施形態では、データベース１２は、記憶部の一例であり、ネットワーク通信品質情報４０１を記憶する。なお、データベース１２は、例えば、２個以上の別個のデータベースから構成されてもよい。
ネットワーク通信品質情報４０１は、ローカルネットワークを識別する情報（ネットワーク識別情報）と、当該ローカルネットワークの通信品質を特定する情報（通信品質情報）とを対応付けた情報である。
本実施形態では、ネットワーク識別情報は、番号の情報である。なお、ネットワーク識別情報は、ローカルネットワークを識別する任意の情報であってもよい。
本実施形態では、通信品質情報は、通信帯域（スループット）、ＱｏＳ（Ｑｕａｌｉｔｙ  ｏｆ  Ｓｅｒｖｉｃｅ）および遅延時間の情報を含む。なお、通信品質情報は、本実施形態の例に限られず、通信品質に関する任意の情報を含んでもよい。
【００２３】
ここで、ネットワーク識別情報は、例えば、ローカルネットワークの通信品質を特定することが可能であれば、当該ローカルネットワークに含まれる一部の要素を特定する情報であってもよい。具体例として、試験クライアント装置２１−１に接続されたローカルネットワークの通信品質が、当該ローカルネットワークに含まれるネットワーク間インタフェースＣ１により決まる場合、当該ネットワーク間インタフェースＣ１を特定する情報がネットワーク識別情報として用いられてもよい。このように、ローカルネットワークの特定は、少なくとも通信品質が定められる程度で特定されてもよい。
【００２４】
また、ローカルネットワークは、任意のネットワークであってもよく、例えば、ＩＰＶネットワーク１０１、１０２、または、ネットワーク間インタフェースＣ１、Ｃ２を単位としたネットワーク、または、他のネットワークであってもよい。
データベース１２は、例えば、顧客に提供する通信品質を定めた契約に関する情報を記憶するデータベースであってもよい。
【００２５】
［試験クライアント装置が開始させる通信品質測定の試験］
本実施形態に係る試験は、例えば、初期的な開通時の試験（自動開通試験）に適用されてもよく、または、それ以降に行われる試験（常時試験）に適用されてもよい。
なお、オペレータ端末装置１３は、試験サーバ装置１１と通信して、試験サーバ装置１１に対して指示または情報を送信すること、あるいは、試験サーバ装置１１から情報を受信することなどが可能である。試験サーバ装置１１は、必要に応じてオペレータ端末装置１３により制御されてもよく、または、すべての処理を自動的に行ってもよい。オペレータ端末装置１３は、オペレータにより操作されて、動作する。
【００２６】
まず、試験サーバ装置１１から試験クライアント装置２１−１へ通信品質測定で使用される情報を提供する処理について説明する。
試験クライアント装置２１−１が現地（図１に示される場所）に設置されていない場合には、作業員が試験クライアント装置２１−１を現地に持っていき設置する。設置の場所は、例えば、宅内（屋内）であってもよい。試験クライアント装置２１−１は、例えば、必要なときに現地に設置されてもよく、または、現地に常に設置（常設）されてもよい。
【００２７】
試験クライアント装置２１−１に当該試験クライアント装置２１−１の宛先情報（本実施形態では、ＩＰアドレス）が設定されていない場合には、試験クライアント装置２１−１に当該ＩＰアドレスを設定する。一例として、作業員が試験クライアント装置２１−１の入力部３４１を操作して当該ＩＰアドレスを設定する。他の例として、試験クライアント装置２１−１がルータ装置Ｒ５１と通信可能に接続されたときに、当該ルータ装置Ｒ５１が当該試験クライアント装置２１−１に当該ＩＰアドレスを設定してもよい。当該設定は、自動的に行われてもよい。試験クライアント装置２１−１に設定された当該ＩＰアドレスの情報は、記憶部３０１に記憶される。
また、ＩＰアドレスの情報の設定と同様に、試験クライアント装置２１−１に当該試験クライアント装置２１−１が接続されたローカルネットワークで使用される回線の識別情報が設定されて記憶されてもよい。回線の識別情報は、例えば、回線の番号（回線番号）である。
【００２８】
試験クライアント装置２１−１は、試験サーバ装置１１にアクセスする。本実施形態では、試験クライアント装置２１−１は、試験サーバ装置１１のポータルページにログインする。一例として、作業員が試験クライアント装置２１−１の入力部３４１を操作して、当該試験クライアント装置２１−１は試験サーバ装置１１のポータルページにログインする。他の例として、試験クライアント装置２１−１は、あらかじめ定められた手順にしたがって、試験サーバ装置１１のポータルページにログインする。当該手順の情報は、記憶部３０１に記憶される。
【００２９】
試験クライアント装置２１−１は、要求信号送信部３２１により、自装置（当該試験クライアント装置２１−１）が接続されたローカルネットワークを特定する情報を含む通信品質測定の要求信号を、バックボーンネットワークＢ１に接続された試験サーバ装置１１に送信する。一例として、作業員が試験クライアント装置２１−１の入力部３４１を操作して当該要求信号を送信させる。当該操作は、例えば、所定のボタンの１回の押下（クリック）などのように、作業員にとって簡易な操作であってもよい。他の例として、試験クライアント装置２１−１は、例えば、所定のタイミングで、当該要求信号を送信してもよい。当該所定のタイミングとしては、任意であってもよく、例えば、定期的なタイミングであってもよい。
【００３０】
試験サーバ装置１１は、要求信号受信部２２１により、試験クライアント装置２１−１から送信された通信品質測定の要求信号を、当該試験クライアント装置２１−１が接続されたローカルネットワークおよび自装置（当該試験サーバ装置１１）が接続されたバックボーンネットワークＢ１を介して、受信する。
試験サーバ装置１１は、特定部２２２により、要求信号受信部２２１により受信された要求信号に基づいて、試験クライアント装置２１−１が接続されたローカルネットワークを特定する。
【００３１】
ここで、本実施形態では、試験サーバ装置１１は、通信品質測定部２２５により、通信品質測定を行う前にバックボーンネットワークＢ１の通信状況の判定を行い、当該判定の結果が所定の条件を満たす場合に、通信品質測定を行う。また、試験サーバ装置１１は、その前に、試験クライアント装置２１−１とのリーチャビリティ（通信可能なこと）を確認してもよい。
【００３２】
例えば、試験サーバ装置１１は、通信品質測定部２２５により、バックボーンネットワークＢ１の帯域の使用率（トラフィックの状況）を検出する。そして、試験サーバ装置１１は、通信品質測定部２２５により、検出された帯域の使用率に試験により増加する（と予想される）使用率を加えた値が最大限度に対して所定値（例えば、７０％の値など）を超える場合には、通信品質測定の試験を行わないことを判定する。これにより、バックボーンネットワークＢ１に流れるトラフィックの負荷が大きいときには、バックボーンネットワークＢ１のトラフィックを試験によりさらに増加させることが回避される。一方、試験サーバ装置１１は、通信品質測定部２２５により、検出された帯域の使用率に試験により増加する（と予想される）使用率を加えた値が最大限度に対して所定値以下である場合には、通信品質測定の試験を行うことを判定する。
【００３３】
試験サーバ装置１１は、通信品質測定の試験を行わないことを判定した場合には、その旨を示す信号を試験クライアント装置２１−１に送信して通知する。
なお、他の構成例として、試験サーバ装置１１は、通信品質測定部２２５により、通信品質測定を行う前にバックボーンネットワークＢ１の通信状況の判定を行うことなく、通信品質測定を行う、構成が用いられてもよい。
【００３４】
試験サーバ装置１１は、通信品質測定部２２５により、通信品質測定を行うことが判定された場合には、試験クライアント装置２１−１にアクセスしてログインし、通信品質測定を行うために必要なソフトウェアおよび設定内容の情報を試験クライアント装置２１−１に送信する（アップロードする）。当該ソフトウェアおよび当該設定内容の情報は、例えば、ローカルネットワークごとに異なってもよい。なお、アップロード（およびダウンロード）では、例えば、ＦＴＰ（Ｆｉｌｅ  Ｔｒａｎｓｆｅｒ  Ｐｒｏｔｏｃｏｌ）が用いられてもよい。
【００３５】
当該ソフトウェアおよび当該設定内容の情報は、ローカルネットワークに対応する通信品質情報を含む。試験サーバ装置１１から試験クライアント装置２１−１へ当該通信品質情報を提供する具体例を示す。
すなわち、試験サーバ装置１１は、情報取得部２２３により、ローカルネットワークを特定する情報（ネットワーク識別情報）と通信品質測定で使用される情報（通信品質情報）とを対応付けて記憶する記憶部（データベース１２）から、特定部２２２により特定されたローカルネットワークに対応付けられた通信品質測定で使用される情報（通信品質情報）を取得する。
そして、試験サーバ装置１１は、情報送信部２２４により、情報取得部２２３により取得された情報を試験クライアント装置２１−１に送信する。これにより、試験サーバ装置１１は、情報送信部２２４により、特定部２２２により特定されたローカルネットワークに関する通信品質測定で使用される情報を試験クライアント装置２１−１に送信する。
また、試験クライアント装置２１−１は、情報受信部３２２により、要求信号に応じて試験サーバ装置１１から送信されたローカルネットワークに関する通信品質測定で使用される情報（通信品質情報）を受信する。
【００３６】
ここで、試験クライアント装置２１−１は、試験サーバ装置１１に送信する通信品質測定の要求信号に、ローカルネットワークを特定する情報として、自装置（当該試験クライアント装置２１−１）のＩＰアドレス、または、当該ローカルネットワークで使用される回線番号のうちの一方または両方を含める。この場合、試験サーバ装置１１は、特定部２２２により、要求信号受信部２２１により受信された要求信号に含まれる当該ＩＰアドレスまたは当該回線番号のうちの一方または両方に基づいて、ローカルネットワークを特定する。この場合、試験サーバ装置１１は、特定部２２２により、記憶部２０１に記憶されているネットワーク構成の情報を参照して用いてもよい。なお、他の例として、試験クライアント装置２１−１は、ルータ装置Ｒ５１などに指示することで、当該ルータ装置Ｒ５１などにより通信品質測定の要求信号に回線番号の情報を含めさせてもよい。
【００３７】
他の構成例として、試験クライアント装置２１−１から送信された通信品質測定の要求信号に、通信経路を示す情報が付加されてもよい。この場合、試験サーバ装置１１は、特定部２２２により、要求信号受信部２２１により受信された要求信号に付加された通信経路を示す情報に基づいて、ローカルネットワークを特定する。
具体的には、ローカルネットワーク内には、試験クライアント装置２１−１を当該ローカルネットワークに接続する接続機器（本実施形態では、ルータ装置Ｒ５１）などの機器が存在する。そして、それぞれの機器には識別情報（本実施形態で、機器ＩＤという。）が設定されている。通信品質測定の要求信号が当該接続機器などを通過するときに当該要求信号に当該接続機器などの機器ＩＤが付加される場合、当該機器ＩＤが通信経路を示す情報として用いられてもよい。
【００３８】
なお、ネットワークを特定する情報は、例えば、パケット（または、フレーム）を構成するデータ部に含まれる情報が用いられてもよく、あるいは、パケット（または、フレーム）を構成するヘッダに含まれる情報が用いられてもよい。ヘッダに含まれる情報は、例えば、宛先情報、通信経路を示す情報、ＶＬＡＮ（Ｖｉｒｔｕａｌ  ＬＡＮ）識別子の情報などが用いられてもよい。
【００３９】
また、試験サーバ装置１１は、情報送信部２２４により、ローカルネットワークに関する通信品質情報を送信する場合、当該通信品質情報に含まれるＱｏＳの情報について、当該ローカルネットワークで使用される規則（ルール）にしたがったＱｏＳの情報を使用する。具体的には、バックボーンネットワークＢ１の側で使用されるＱｏＳの規則とローカルネットワークで使用されるＱｏＳの規則とが異なり、データベース１２においてバックボーンネットワークＢ１の側で使用されるＱｏＳの規則が使用されている場合には、試験サーバ装置１１は、情報送信部２２４により、ローカルネットワークで使用されるＱｏＳの規則にしたがったＱｏＳの情報へ変換した後に送信する。なお、ＱｏＳで使用される値とそのレベル（優先度）との対応関係（規則）は、ネットワークごとに異なり得る。
【００４０】
試験クライアント装置２１−１が開始させる通信品質測定の試験について説明する。
本実施形態では、試験クライアント装置２１−１は、試験サーバ装置１１から通信品質情報を受信した後に、続けて、当該通信品質測定を行う。他の構成例として、試験クライアント装置２１−１は、試験サーバ装置１１から通信品質情報を受信した後に、任意のタイミングで、当該通信品質測定を行ってもよい。
【００４１】
試験クライアント装置２１−１と試験サーバ装置１１との間で双方向で通信することにより、ローカルネットワークに関する通信品質測定を行う。
試験クライアント装置２１−１は、通信品質測定部３２３により、試験サーバ装置１１との間でローカルネットワークおよびバックボーンネットワークＢ１を介して通信して、通信品質測定を行う。
試験サーバ装置１１は、通信品質測定部２２５により、試験クライアント装置２１−１との間でバックボーンネットワークＢ１およびローカルネットワークを介して通信して、通信品質測定を行う。
【００４２】
試験クライアント装置２１−１は、通信品質測定が終了すると、試験サーバ装置１１から受信した通信品質測定を行うために必要なソフトウェアおよび設定内容の情報を消去する。
なお、他の構成例として、試験クライアント装置２１−１は、通信品質測定が終了しても、試験サーバ装置１１から受信した通信品質測定を行うために必要なソフトウェアおよび設定内容の情報を消去せずに保持してもよい。この場合、試験クライアント装置２１−１は、次回の試験において、通信品質測定を行うために必要なソフトウェアおよび設定内容の情報を保持している旨を試験サーバ装置１１に通知することで、当該情報を再び試験サーバ装置１１から試験クライアント装置２１−１へ提供する処理を省略してもよい。
【００４３】
ここで、本実施形態では、試験サーバ装置１１の通信品質測定部２２５および試験クライアント装置２１−１の通信品質測定部３２３は、通信品質測定の対象として、通信帯域、ＱｏＳ、および遅延時間について測定を行う。
なお、通信品質測定の対象は、例えば、ジッタ、パケットロス、試験時間、揺らぎなどが用いられてもよい。例えば、１つ以上の対象について通信品質測定が行われる。また、図４に示されるネットワーク通信品質情報４０１の通信品質情報には、例えば、少なくとも通信品質測定が行われる対象に関する情報が含められる。
【００４４】
試験サーバ装置１１は、通信品質測定部２２５により、通信品質測定の結果（試験の結果）について判定を行う。本実施形態では、当該判定は、通信品質測定の結果と図４に示されるネットワーク通信品質情報４０１の通信品質情報（例えば、契約情報）とを比較した判定である。
試験サーバ装置１１は、情報送信部２２４により、通信品質の判定結果を示す情報を試験クライアント装置２１−１に送信する。
なお、他の構成例として、通信品質の判定の一部又は全部を試験クライアント装置２１−１が行ってその結果の情報を試験サーバ装置１１に送信して通知する、構成が用いられてもよい。
【００４５】
ここで、通信品質の判定について説明する。
一例として、通信帯域［ｂｉｔ／ｓ］について、通信品質情報で規定された通信帯域の８０％以上のスループットが通信品質測定の結果として得られた場合に、正しく設定されていると判定する。他の場合には、誤って設定されていると判定する。
一例として、各レベルのＱｏＳ［ｂｉｔ／ｓ］について、通信品質情報で規定された各レベルのＱｏＳの８０％以上のスループットが通信品質測定の結果として得られた場合に、正しく設定されていると判定する。他の場合には、誤って設定されていると判定する。なお、試験サーバ装置１１または試験クライアント装置２１−１のうちの一方または両方は、各レベルのＱｏＳのラベルを付したデータを送信して、ＱｏＳの測定を行う。
【００４６】
一例として、遅延時間［ｓ］について、通信品質情報で規定されたサービス品質保証（ＳＬＡ：Ｓｅｒｖｉｃｅ  Ｌｅｖｅｌ  Ａｇｒｅｅｍｅｎｔ）の値未満の遅延時間が通信品質測定の結果として得られた場合に、正しく設定されていると判定する。他の場合には、誤って設定されていると判定する。
なお、本実施形態では、往復遅延時間（ＲＴＴ：Ｒｏｕｎｄ  Ｔｒｉｐ  Ｔｉｍｅ）の測定を行う。具体例として、試験クライアント装置２１−１は、ネットワーク間インタフェースＣ１のルータ装置Ｒ３２およびルータ装置Ｒ３１のそれぞれにＰｉｎｇの信号を送信してＲＴＴの測定を行う。この場合、当該測定に必要な情報（例えば、ルータ装置Ｒ３１、Ｒ３２のＩＰアドレスの情報など）は、試験サーバ装置１１から試験クライアント装置２１−１に送信する。また、試験クライアント装置２１−１は、当該測定の結果の情報を試験サーバ装置１１に送信して通知する。
【００４７】
［試験サーバ装置が開始させる通信品質測定］
試験サーバ装置１１が要求を出して通信品質測定を行うことも可能である。試験クライアント装置２１−１を例として説明する。試験クライアント装置２１−１は、常時、ルータ装置Ｒ５１と接続された状態であるとする。
試験サーバ装置１１は、要求信号送信部２２６により、特定部２２２により特定されたローカルネットワークに接続された試験クライアント装置２１−１に対して、通信品質測定の要求信号を送信する。
試験サーバ装置１１は、情報送信部２２４により、要求信号送信部２２６により要求信号を試験クライアント装置２１−１に対して送信する場合、当該ローカルネットワークに関する通信品質測定で使用される情報（通信品質情報）を試験クライアント装置２１−１に送信する。
【００４８】
一例として、オペレータがオペレータ端末装置１３の操作部の操作を行って試験サーバ装置１１を制御することで、要求信号を送信させる。当該操作は、例えば、所定のボタンの１回の押下（クリック）などのように、オペレータにとって簡易な操作であってもよい。他の例として、試験サーバ装置１１は、例えば、所定のタイミングで、当該要求信号を送信してもよい。当該所定のタイミングとしては、任意であってもよく、例えば、定期的なタイミングであってもよい。
【００４９】
試験クライアント装置２１−１は、要求信号受信部３２４により、試験サーバ装置１１から送信された要求信号を受信する。
試験クライアント装置２１−１は、情報受信部３２２により、試験サーバ装置１１から送信された通信品質情報を受信する。
そして、試験サーバ装置１１と試験クライアント装置２１−１との間で通信品質測定を行い、当該通信品質測定の結果について判定を行う。
【００５０】
［試験クライアント装置同士での通信品質測定の試験の第１の例］
２個の異なる試験クライアント装置２１−１、２１−４の間で通信品質測定を行う場合を例として説明する。
試験クライアント装置２１−１は、要求信号送信部３２１により、自装置（当該試験クライアント装置２１−１）が接続されたローカルネットワーク（ここの説明において、ローカルネットワークＡＡという。）を特定する情報を含むとともに通信品質測定の相手を示す情報として所定のローカルネットワーク（ここの説明において、ローカルネットワークＢＢという。）に接続された他の試験クライアント装置２１−４を識別する情報を含む通信品質測定の要求信号を試験サーバ装置１１に送信する。
ここで、ローカルネットワークＢＢは、本実施形態では、ローカルネットワークＡＡとは異なるローカルネットワークであるが、他の構成例として、ローカルネットワークＡＡと同じローカルネットワークであってもよい。また、他の構成例として、２個のローカルネットワークＡＡ、ＢＢのうちの一方または両方の代わりに、他のネットワーク（例えば、バックボーンネットワークＢ１など）が用いられてもよい。
【００５１】
試験サーバ装置１１は、特定部２２２により、要求信号受信部２２１により受信された要求信号に基づいて、ローカルネットワークＡＡおよびローカルネットワークＢＢを特定する。
そして、試験サーバ装置１１は、情報送信部２２４により、特定部２２２による特定の結果に基づいて、試験クライアント装置２１−１と試験クライアント装置２１−４との間でローカルネットワークＡＡおよびローカルネットワークＢＢを介して通信して行う通信品質測定で使用される情報（ここでの説明で、通信品質情報Ｐという。）を、試験クライアント装置２１−１に送信する。
【００５２】
ここで、具体例として、通信帯域およびＱｏＳについては、２個のローカルネットワークＡＡ、ＢＢのうちで、品質が低い方の値が基準となって使用される。当該基準は、２個のローカルネットワークＡＡ、ＢＢのうちで、品質が低い方のローカルネットワークに関する通信品質情報に基づいて決定することが可能である。
また、具体例として、遅延時間については、２個のローカルネットワークＡＡ、ＢＢの値の合計値が基準となって使用される。当該基準は、２個のローカルネットワークＡＡ、ＢＢのそれぞれに関する通信品質情報を両方組み合わせたものに基づいて決定することが可能である。
【００５３】
本実施形態では、試験サーバ装置１１は、特定部２２２により特定されたローカルネットワークＡＡに関する通信品質測定で使用される情報およびローカルネットワークＢＢに関する通信品質測定で使用される情報に基づいて通信品質情報Ｐを決定する通信品質決定部を備える。当該通信品質決定部の機能は、例えば、情報取得部２２３または情報送信部２２４などに一体化されてもよい。なお、通信品質情報Ｐは、例えば、通信帯域あるいはＱｏＳについて通信品質測定が行われる場合などに、ローカルネットワークＡＡに関する通信品質測定で使用される情報およびローカルネットワークＢＢに関する通信品質測定で使用される情報のうちの一方（例えば、品質が低い方）であってもよい。また、通信品質情報Ｐは、例えば、ローカルネットワークＡＡとローカルネットワークＢＢとが同じである場合に、ローカルネットワークＡＡに関する通信品質測定で使用される情報（または、ローカルネットワークＢＢに関する通信品質測定で使用される情報も同じ）であってもよい。
さらに、他の構成例として、あらかじめ、ローカルネットワークＡＡおよびローカルネットワークＢＢを介して通信して行う通信品質測定で使用される情報（通信品質情報Ｐ）が、ローカルネットワークＡＡおよびローカルネットワークＢＢの組み合わせを識別する情報と対応付けられて、データベース１２または試験サーバ装置１１の記憶部２０１などに記憶されてもよい。この場合、試験サーバ装置１１は、情報取得部２２３により、特定部２２２により特定されたローカルネットワークＡＡおよびローカルネットワークＢＢの組み合わせに基づいて、当該組み合わせを識別する情報に対応付けられた通信品質情報Ｐをデータベース１２または試験サーバ装置１１の記憶部２０１などから読み出して取得してもよい。
【００５４】
また、試験クライアント装置２１−１が他の試験クライアント装置（ここでは、試験クライアント装置２１−４）との間で通信品質測定の試験を行う場合、試験サーバ装置１１から試験クライアント装置２１−１に送信される通信品質情報Ｐには、当該試験クライアント装置２１−１にとって試験の相手となる試験クライアント装置（ここでは、試験クライアント装置２１−４）を識別する情報が含められてもよい。当該情報は、例えば、試験サーバ装置１１において要求信号受信部２２１により受信された要求信号に基づいて特定することが可能である。
なお、試験サーバ装置１１は、情報取得部２２３により、ローカルネットワークＡＡに関する通信品質測定で使用される情報およびローカルネットワークＢＢに関する通信品質測定で使用される情報のうちの一方または両方をデータベース１２から取得してもよい。
【００５５】
試験クライアント装置２１−１は、情報受信部３２２により、試験サーバ装置１１から送信された通信品質情報Ｐを受信する。
試験クライアント装置２１−１は、通信品質測定部３２３により、試験クライアント装置２１−４との間でローカルネットワークＡＡおよびローカルネットワークＢＢを介して通信して通信品質測定を行う。
この場合、一例として、試験サーバ装置１１が要求信号および通信品質情報を試験クライアント装置２１−１に送信して当該試験クライアント装置２１−１との間で通信品質測定を行う手順と同様な手順を用いることが可能である。すなわち、試験クライアント装置２１−１は、要求信号および通信品質情報Ｐを試験クライアント装置２１−４に送信して当該試験クライアント装置２１−４との間で通信品質測定を行う。
【００５６】
このように、２個の試験クライアント装置２１−１、２１−４は、通信品質測定部３２３により、２個のローカルネットワークＡＡ、ＢＢを経由する経路について、通信品質測定を行う。そして、２個の試験クライアント装置２１−１、２１−４のうちの一方または両方は、当該通信品質測定の結果について判定を行う。
なお、２個の試験クライアント装置２１−１、２１−４は、通信品質測定部３２３により、例えば、通信帯域およびＱｏＳについて、ローカルネットワークＡＡに設定される通信品質と、ローカルネットワークＢＢに設定される通信品質と、のうちで低い方の通信品質を基準に、通信品質測定を行う。
【００５７】
なお、バックボーンネットワークＢ１とローカルネットワークＡＡとローカルネットワークＢＢとでＱｏＳの規則が異なる場合には、それぞれのネットワークで使用されるＱｏＳの情報がそれぞれのネットワークの規則に適合するように変換される。
【００５８】
［試験クライアント装置同士での通信品質測定の試験の第２の例］
２個の異なる試験クライアント装置２１−１、２１−４の間で通信品質測定を行う場合を例として説明する。
試験クライアント装置２１−１は、要求信号送信部３２１により、自装置（当該試験クライアント装置２１−１）が接続されたローカルネットワーク（ここの説明において、ローカルネットワークＡＡという。）を特定する情報を含む通信品質測定の要求信号を試験サーバ装置１１に送信する。
また、試験クライアント装置２１−４は、要求信号送信部３２１により、自装置（当該試験クライアント装置２１−４）が接続されたローカルネットワーク（ここの説明において、ローカルネットワークＢＢという。）を特定する情報を含む通信品質測定の要求信号を試験サーバ装置１１に送信する。
ここで、ローカルネットワークＢＢは、本実施形態では、ローカルネットワークＡＡとは異なるローカルネットワークであるが、他の構成例として、ローカルネットワークＡＡと同じローカルネットワークであってもよい。また、他の構成例として、２個のローカルネットワークＡＡ、ＢＢのうちの一方または両方の代わりに、他のネットワーク（例えば、バックボーンネットワークＢ１など）が用いられてもよい。
【００５９】
試験サーバ装置１１は、要求信号受信部２２１により、試験クライアント装置２１−１から送信された要求信号を受信する。また、試験サーバ装置１１は、要求信号受信部２２１により、試験クライアント装置２１−４から送信された要求信号を受信する。
試験サーバ装置１１は、特定部２２２により、要求信号受信部２２１により試験クライアント装置２１−１から受信された要求信号に基づいて、ローカルネットワークＡＡを特定する。また、試験サーバ装置１１は、特定部２２２により、要求信号受信部２２１により試験クライアント装置２１−４から受信された要求信号に基づいて、ローカルネットワークＢＢを特定する。
そして、試験サーバ装置１１は、情報送信部２２４により、特定部２２２による特定の結果に基づいて、試験クライアント装置２１−１と試験クライアント装置２１−４との間でローカルネットワークＡＡおよびローカルネットワークＢＢを介して通信して行う通信品質測定で使用される情報（ここでの説明で、通信品質情報Ｐという。）を、試験クライアント装置２１−１または試験クライアント装置２１−４のうちの一方または両方に送信する。
【００６０】
ここで、具体例として、通信帯域およびＱｏＳについては、２個のローカルネットワークＡＡ、ＢＢのうちで、品質が低い方の値が基準となって使用される。当該基準は、２個のローカルネットワークＡＡ、ＢＢのうちで、品質が低い方のローカルネットワークに関する通信品質情報に基づいて決定することが可能である。
また、具体例として、遅延時間については、２個のローカルネットワークＡＡ、ＢＢの値の合計値が基準となって使用される。当該基準は、２個のローカルネットワークＡＡ、ＢＢのそれぞれに関する通信品質情報を両方組み合わせたものに基づいて決定することが可能である。
また、試験サーバ装置１１から通信品質情報Ｐを送信する相手は、試験クライアント装置２１−１または試験クライアント装置２１−４のうちの任意の一方であってもよく、または、両方であってもよい。一例として、当該相手は、試験クライアント装置２１−１または試験クライアント装置２１−４のうちで、試験サーバ装置１１により最初に要求信号を受信した方の一方であってもよい。
【００６１】
本実施形態では、試験サーバ装置１１は、特定部２２２により特定されたローカルネットワークＡＡに関する通信品質測定で使用される情報およびローカルネットワークＢＢに関する通信品質測定で使用される情報に基づいて通信品質情報Ｐを決定する通信品質決定部を備える。当該通信品質決定部の機能は、例えば、情報取得部２２３または情報送信部２２４などに一体化されてもよい。なお、通信品質情報Ｐは、例えば、通信帯域あるいはＱｏＳについて通信品質測定が行われる場合などに、ローカルネットワークＡＡに関する通信品質測定で使用される情報およびローカルネットワークＢＢに関する通信品質測定で使用される情報のうちの一方（例えば、品質が低い方）であってもよい。また、通信品質情報Ｐは、例えば、ローカルネットワークＡＡとローカルネットワークＢＢとが同じである場合に、ローカルネットワークＡＡに関する通信品質測定で使用される情報（または、ローカルネットワークＢＢに関する通信品質測定で使用される情報も同じ）であってもよい。
さらに、他の構成例として、あらかじめ、ローカルネットワークＡＡおよびローカルネットワークＢＢを介して通信して行う通信品質測定で使用される情報（通信品質情報Ｐ）が、ローカルネットワークＡＡおよびローカルネットワークＢＢの組み合わせを識別する情報と対応付けられて、データベース１２または試験サーバ装置１１の記憶部２０１などに記憶されてもよい。この場合、試験サーバ装置１１は、情報取得部２２３により、特定部２２２により特定されたローカルネットワークＡＡおよびローカルネットワークＢＢの組み合わせに基づいて、当該組み合わせを識別する情報に対応付けられた通信品質情報Ｐをデータベース１２または試験サーバ装置１１の記憶部２０１などから読み出して取得してもよい。
【００６２】
また、試験クライアント装置同士（ここでは、試験クライアント装置２１−１と試験クライアント装置２１−４との間）で通信品質測定の試験を行う場合、試験サーバ装置１１から試験クライアント装置（ここでは、試験クライアント装置２１−１または試験クライアント装置２１−４）に送信される通信品質情報Ｐには、当該試験クライアント装置にとって試験の相手となる試験クライアント装置（ここでは、試験クライアント装置２１−４または試験クライアント装置２１−１）を識別する情報が含められてもよい。当該情報は、例えば、試験サーバ装置１１において要求信号受信部２２１により受信された要求信号に基づいて特定することが可能である。
なお、試験サーバ装置１１は、情報取得部２２３により、ローカルネットワークＡＡに関する通信品質測定で使用される情報およびローカルネットワークＢＢに関する通信品質測定で使用される情報のうちの一方または両方をデータベース１２から取得してもよい。
【００６３】
ここでは、試験クライアント装置２１−１が試験サーバ装置１１から通信品質情報Ｐを受信する場合を例として説明する。なお、試験クライアント装置２１−４が試験サーバ装置１１から通信品質情報Ｐを受信する場合についても同様である。
試験クライアント装置２１−１は、情報受信部３２２により、試験サーバ装置１１から送信された通信品質情報Ｐを受信する。
試験クライアント装置２１−１は、通信品質測定部３２３により、試験クライアント装置２１−４との間でローカルネットワークＡＡおよびローカルネットワークＢＢを介して通信して通信品質測定を行う。
この場合、一例として、試験サーバ装置１１が要求信号および通信品質情報を試験クライアント装置２１−１に送信して当該試験クライアント装置２１−１との間で通信品質測定を行う手順と同様な手順を用いることが可能である。すなわち、試験クライアント装置２１−１は、要求信号および通信品質情報Ｐを試験クライアント装置２１−４に送信して当該試験クライアント装置２１−４との間で通信品質測定を行う。
【００６４】
このように、２個の試験クライアント装置２１−１、２１−４は、通信品質測定部３２３により、２個のローカルネットワークＡＡ、ＢＢを経由する経路について、通信品質測定を行う。そして、２個の試験クライアント装置２１−１、２１−４のうちの一方または両方は、当該通信品質測定の結果について判定を行う。
なお、２個の試験クライアント装置２１−１、２１−４は、通信品質測定部３２３により、例えば、通信帯域およびＱｏＳについて、ローカルネットワークＡＡに設定される通信品質と、ローカルネットワークＢＢに設定される通信品質と、のうちで低い方の通信品質を基準に、通信品質測定を行う。
【００６５】
なお、バックボーンネットワークＢ１とローカルネットワークＡＡとローカルネットワークＢＢとでＱｏＳの規則が異なる場合には、それぞれのネットワークで使用されるＱｏＳの情報がそれぞれのネットワークの規則に適合するように変換される。
【００６６】
本例では、複数の試験クライアント装置２１−１〜２１−４が、相手の識別情報を含まない要求信号を試験サーバ装置１１に送信する場合においても、試験サーバ装置１１は、２個以上の試験クライアント装置２１−１〜２１−４から当該要求信号を受信した場合には、当該２個以上の試験クライアント装置２１−１〜２１−４の間で試験を行うことを可能とするように制御する。
本例では、複数の試験クライアント装置２１−１〜２１−４が、相手の識別情報を試験サーバ装置１１に通知しなくても、複数の試験クライアント装置２１−１〜２１−４から試験サーバ装置１１に要求信号を送信することにより、試験クライアント装置２１−１〜２１−４同士の試験が可能となる。
【００６７】
なお、試験サーバ装置１１は、一例として、所定の時間内に要求信号を受信した複数の試験クライアント装置２１−１〜２１−４について、当該複数の試験クライアント装置２１−１〜２１−４の間で試験を行うことを可能とするように制御してもよい。当該所定の時間は、例えば、あらかじめ設定されてもよい。
【００６８】
［通信品質測定の結果の出力］
試験サーバ装置１１は、出力部２４２により、通信品質測定部２２５により行われた通信品質測定の結果の情報を出力する。当該情報を出力する態様は、任意の装置に当該情報を出力する態様であってもよく、例えば、試験サーバ装置１１自体の画面などに当該情報を出力する態様、当該通信品質測定に関する試験クライアント装置２１−１（試験クライアント装置２１−１、２１−４の間の通信品質測定では、これらの試験クライアント装置２１−１、２１−４）に当該情報を出力する態様、他の試験クライアント装置に当該情報を出力する態様、または、他の装置（例えば、チケットシステム１４、モバイル端末装置３２）に当該情報を出力する態様、のうちの１以上が用いられてもよい。なお、これらの出力は、例えば、オペレータなどの指示に応じて行われてもよく、または、自動的に行われてもよい。
【００６９】
本実施形態では、試験サーバ装置１１は、出力部２４２により、通信品質測定の結果の情報をポータルページに表示出力する。また、試験サーバ装置１１は、出力部２４２により、通信品質測定の結果の情報をチケットシステム１４に出力（送信）する。
チケットシステム１４は、試験サーバ装置１１から出力（送信）された通信品質測定の結果の情報を入力（受信）し、当該情報を記憶部（当該チケットシステム１４の記憶部）に記憶する。チケットシステム１４は、人の指示に応じて、または、自動的に、当該情報を画面などに出力する。なお、チケットシステム１４は、人（電話オペレータ）が電話で受けた各種の情報を入力して記憶する機能を有する。また、チケットシステム１４は、他の各種の情報を記憶してもよい。
【００７０】
モバイル端末装置３２は、チケットシステム１４から送信された情報を受信して画面などに出力する。例えば、モバイル端末装置３２はチケットシステム１４に情報を要求し、チケットシステム１４は要求された情報をモバイル端末装置３２に送信してもよい。また、モバイル端末装置３２における当該情報の要求、受信、出力などは、例えば、人（作業員、または、他の人）の操作に応じて行われてもよく、または、自動的に行われてもよい。なお、本実施形態では、モバイル端末装置３２は、移動可能であり、基地局装置３１との無線通信を介して、チケットシステム１４と通信する。
【００７１】
これにより、モバイル端末装置３２は、各種の情報をチケットシステム１４から受信して出力することができる。当該情報は、例えば、チケットシステム１４のポータルページ、通信品質測定の結果、回線番号、回線の名称（キャリアの名称）、キャリアに特有な事項、ルータ装置Ｒ５１〜Ｒ５２、Ｒ６１、Ｒ８１などの１以上であってもよい。作業員などは、モバイル端末装置３２を持ち運ぶことで、各種の情報を閲覧することが可能である。
また、モバイル端末装置３２と同様に、オペレータ端末装置１３も、チケットシステム１４から送信された各種の情報を受信して画面などに出力することが可能である。
【００７２】
［設定情報の記憶および復元］
本実施形態では、各試験クライアント装置２１−１〜２１−４または各ルータ装置Ｒ５１〜Ｒ５２、Ｒ６１、Ｒ８１などに設定された情報（設定情報）をデータベース１２などによりバックアップ（記憶）する。また、バックアップされた設定情報を各試験クライアント装置２１−１〜２１−４または各ルータ装置Ｒ５１〜Ｒ５２、Ｒ６１、Ｒ８１などに復元（設定）することができる。当該バックアップまたは当該復元は、例えば、人（オペレータ、作業員、または、他の人）の操作に応じて行われてもよく、または、自動的に行われてもよい。当該操作は、例えば、試験サーバ装置１１のポータルページにおいて行われてもよい。一例として、装置が故障等により交換された場合に、交換後の装置に交換前の装置の設定情報を復元すると効率的である。設定情報は、任意の情報を含んでもよく、例えば、宛先情報、回線番号の情報、回線の名称（キャリアの名称）の情報などのうちの１以上を含んでもよい。
【００７３】
［通信品質測定結果および設定情報の管理］
本実施形態の通信システム１は、今回の通信品質測定の結果と前回の通信品質測定の結果とを比較して、前回の結果より今回の結果の方が通信品質が劣化しているか否かを判定する通信品質劣化判定部を備える。通信品質測定の結果の情報は、例えば、チケットシステム１４などの記憶部に記憶された情報に基づいて取得されてもよく、または、通信品質測定を行った装置から取得されてもよい。
また、本実施形態の通信システム１は、今回の通信品質測定における設定情報と前回の通信品質測定における設定情報とを比較して、今回の通信品質測定における設定情報が前回の通信品質測定における設定情報に対して変更されているか否かを判定する設定情報変更判定部を備える。設定情報は、例えば、データベース１２などに記憶された情報に基づいて取得されてもよく、または、設定情報が設定された装置から取得されてもよい。なお、変更の有無を判定する対象とする設定情報は、例えば、該当する通信品質測定に関係した任意の１個以上の装置（例えば、試験クライアント装置２１−１〜２１−４またはルータ装置Ｒ５１〜Ｒ５２、Ｒ６１、Ｒ８１など）の設定情報であってもよく、または、該当する通信品質測定に関係したすべての装置の設定情報であってもよい。
【００７４】
また、本実施形態の通信システム１は、バックアップされた設定情報に対して変更された情報を取得（抽出）する設定変更取得部を備える。設定変更取得部は、例えば、前回の通信品質測定における設定情報に対する今回の通信品質測定における設定情報について、変更された情報を取得する。
また、本実施形態の通信システム１は、設定変更取得部により取得された情報（変更された情報の部分）を出力する設定変更出力部を備える。設定変更出力部は、例えば、チケットシステム１４に情報を出力してもよい。この場合、チケットシステム１４は当該情報を記憶し、そして、オペレータ端末装置１３およびモバイル端末装置３２は、チケットシステム１４に記憶された当該情報を取得して表示することなどが可能である。他の構成例として、設定変更出力部は、例えば、チケットシステム１４以外の装置（例えば、オペレータ端末装置１３、モバイル端末装置３２など）に情報を出力してもよい。
また、本実施形態の通信システム１は、（今回の通信品質測定における設定情報に対して）前回の通信品質測定における設定情報を復元する前回設定情報復元部を備える。前回設定情報復元部は、さらに、復元した設定情報を用いて通信品質測定（試験）を実行させる機能を有してもよい。
ここで、設定変更取得部に関する処理、設定変更出力部に関する処理、および前回設定情報復元部に関する処理のうちの１以上は、例えば、通信品質劣化判定部により通信品質が劣化していると判定されたこと、または、設定情報変更判定部により設定情報が変更されていると判定されたこと、のうちの一方または両方を契機として、行われてもよい。
【００７５】
一構成例として、本実施形態の通信システム１では、前回の試験の測定結果と今回実施した試験の測定結果とを比較して、品質劣化があることを判定し、かつ、設定情報が変更されていると判定した場合には、次の処理Ａ、処理Ｂのうちの一方または両方を実行する。当該処理Ａは、バックアップした設定情報との設定変更部分を自動で抽出するとともに、チケットシステム１４へ出力し、オペレータ端末装置１３またはモバイル端末装置３２で確認することを可能とする処理である。当該処理Ｂは、自動的に、前回の設定情報を復元して再度試験を行う処理である。
【００７６】
ここで、通信品質劣化判定部、設定情報変更判定部、設定変更取得部、設定変更出力部、および前回設定情報復元部は、それぞれ、通信システム１における任意の装置に備えられてもよい。
一例として、通信品質劣化判定部、設定情報変更判定部、設定変更取得部、設定変更出力部、および前回設定情報復元部は、１個の装置（本実施形態では、管理装置という。）に備えられてもよい。当該管理装置は、例えば、監視ネットワークＡ１の内部に備えられてもよく、または、外部に備えられてもよい。当該管理装置は、例えば、試験サーバ装置１１などと一体化されてもよい。
【００７７】
［他の構成例］
なお、本実施形態では、試験を行う通信システムを提供することも可能である。
一例として、通信システム１は、試験クライアント装置２１−１と、当該試験クライアント装置２１−１が接続されたローカルネットワークと、試験サーバ装置１１と、当該試験サーバ装置１１が（本実施形態では、監視ネットワークＡ１を介して）接続されたバックボーンネットワークＢ１と、を備え、試験クライアント装置２１−１は、通信品質測定の要求信号を、当該ローカルネットワークおよびバックボーンネットワークＢ１を介して、送信し、試験サーバ装置１１は、試験クライアント装置２１−１から送信された要求信号を受信し、受信した要求信号に基づいて当該ローカルネットワークを特定し、特定した当該ローカルネットワークに関する通信品質測定で使用される情報を試験クライアント装置２１−１に送信し、試験クライアント装置２１−１は、試験サーバ装置１１から送信された当該ローカルネットワークに関する通信品質測定で使用される情報を受信し、通信品質測定を行う。
【００７８】
本実施形態では、試験サーバ装置１１により行われる試験の方法を提供することも可能である。
一例として、情報提供方法では、試験サーバ装置１１において、試験クライアント装置２１−１から送信された通信品質測定の要求信号を、当該試験クライアント装置２１−１が接続されたローカルネットワークおよび当該試験サーバ装置１１が接続されたバックボーンネットワークＢ１を介して、受信し、受信された要求信号に基づいて、当該ローカルネットワークを特定し、特定された当該ローカルネットワークに関する通信品質測定で使用される情報を試験クライアント装置２１−１に送信する。
一例として、情報提供方法では、さらに、特定された当該ローカルネットワークに接続された試験クライアント装置２１−１に対して、通信品質測定の要求信号を送信し、当該要求信号を試験クライアント装置２１−１に対して送信する場合、当該ローカルネットワークに関する通信品質測定で使用される情報を試験クライアント装置２１−１に送信する。
【００７９】
本実施形態では、試験サーバ装置１１により行われる試験の処理を実現するプログラムを提供することも可能である。
一例として、プログラムは、試験サーバ装置１１を構成するコンピュータに、試験クライアント装置２１−１から送信された通信品質測定の要求信号を、当該試験クライアント装置２１−１が接続されたローカルネットワークおよび当該試験サーバ装置１１が接続されたバックボーンネットワークＢ１を介して、受信するステップと、受信された要求信号に基づいて、当該ローカルネットワークを特定するステップと、特定された当該ローカルネットワークに関する通信品質測定で使用される情報を試験クライアント装置２１−１に送信するステップと、を実行させるためのプログラムである。
【００８０】
なお、本実施形態に係る各装置（例えば、試験サーバ装置１１、試験クライアント装置２１−１〜２１−４など）の機能を実現するためのプログラムをコンピュータ読み取り可能な記録媒体（記憶媒体）に記録（記憶）して、この記録媒体に記録されたプログラムをコンピュータシステムに読み込ませ、実行することにより、処理を行ってもよい。
ここでいう「コンピュータシステム」とは、オペレーティングシステム（ＯＳ：Ｏｐｅｒａｔｉｎｇ  Ｓｙｓｔｅｍ）あるいは周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことをいう。
さらに、「コンピュータ読み取り可能な記録媒体」とは、インターネット等のネットワークあるいは電話回線等の通信回線を介してプログラムが送信された場合のサーバあるいはクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピュータシステムに既に記録されているプログラムとの組み合わせで実現できるもの、いわゆる差分ファイル（差分プログラム）であってもよい。
【００８１】
本実施形態では、試験サーバ装置１１は、通信品質測定で使用される情報を試験クライアント装置２１−１に提供する機能と、当該情報に基づいて通信品質測定を行う機能との両方を有するが、これらの機能のそれぞれを有する２個の別体の装置を通信システム１に備えてもよい。図２に示される試験サーバ装置１１の制御部２０３の構成を例とすると、第１の装置（情報提供を行う装置）は要求信号受信部２２１、特定部２２２、情報取得部２２３、および情報送信部２２４の機能を備え、また、第２の装置（通信品質測定を行う装置）は通信品質測定部２２５の機能を備える。なお、要求信号送信部２２６の機能は、第１の装置と第２の装置との任意の一方に備えられてもよい。第１の装置と第２の装置は、別体であるが、例えば、互いに通信して連携し、または、共通のオペレータ端末装置１３により制御されて互いに連携する。
【００８２】
本実施形態では、試験サーバ装置１１と試験クライアント装置２１−１との間で試験が行われる場合を示したが、他の例として、試験サーバ装置１１と他の任意の試験クライアント装置２１−２〜２１−４との間で試験が行われてもよい。
また、本実施形態では、試験クライアント装置２１−１と試験クライアント装置２１−４との間で試験が行われる場合を示したが、他の例として、他の任意の２個の試験クライアント装置２１−１〜２１−４の間で試験が行われてもよい。
なお、本実施形態では、宛先情報として、ＩＰアドレスの情報が用いられたが、他の例として、ネットワーク構成などに応じて、ＭＡＣアドレスなどの情報が用いられてもよい。
【００８３】
［実施形態のまとめ］
以上のように、本実施形態に係る通信システム１では、ネットワークの通信品質の試験を効率的に行うことができる。
本実施形態に係る試験サーバ装置１１では、試験クライアント装置２１−１〜２１−４から受信された通信品質測定の要求信号に基づいて、当該試験クライアント装置２１−１〜２１−４が接続されたローカルネットワークを特定して、適切な試験を行うことができる。このため、オペレータあるいは作業員などは、ネットワーク構成を意識しなくとも、簡易に試験（本実施形態では、通信品質測定および判定）を実行させることができる。例えば、オペレータあるいは作業員などは、１回の操作などによって、簡易に試験を実行させることができる。
【００８４】
本実施形態では、各試験クライアント装置２１−１〜２１−４から試験の要求を出して、試験を行うことができる。また、本実施形態では、試験サーバ装置１１から試験の要求を出して、試験を行うことができる。これらにより、例えば、各試験クライアント装置２１−１〜２１−４に接続されたローカルネットワークの通信品質が契約などにしたがって正しく設定されているか否かなどを確認することができる。
また、本実施形態では、試験クライアント装置２１−１〜２１−４同士の間で試験を行うことができる。これにより、例えば、複数の拠点（各試験クライアント装置２１−１〜２１−４）の間における通信のパフォーマンスが低下した場合などに、拠点間での試験を行うことができる。
【００８５】
また、本実施形態では、各試験クライアント装置２１−１〜２１−４として、汎用のコンピュータを使用することも可能である。例えば、汎用のコンピュータに対して、試験に必要な情報を試験サーバ装置１１から送信してインストールなどすることが可能である。また、例えば、プラットフォームあるいは対象のサービスに依存せずに、試験を行うことが可能である。
また、例えば、各試験クライアント装置２１−１〜２１−４において、当該各試験クライアント装置２１−１〜２１−４に接続される宅内ルータ装置（本実施形態では、各ルータ装置Ｒ５１〜Ｒ５２、Ｒ６１、Ｒ８１）の設定画面（コンソール画面）と、試験に関する情報を含む画面（試験画面）と、を同時に表示する構成とすることも可能である。この場合、当該コンソール画面を開いた状態で、当該試験画面において試験を開始して完結させることが可能である。
【００８６】
なお、本実施形態では、試験サーバ装置１１が情報提供装置に対応し、試験クライアント装置２１−１が第１の通信装置に対応し、試験クライアント装置２１−１が接続されたローカルネットワーク（ローカルネットワークＡＡ）が第１のネットワークに対応し、試験サーバ装置１１が接続されたバックボーンネットワークＢ１が第２のネットワークに対応する。また、本実施形態では、試験クライアント装置２１−４が第２の通信装置（第１の通信装置に対して他の通信装置）に対応し、当該試験クライアント装置２１−４が接続されたローカルネットワーク（ローカルネットワークＢＢ）が第３のネットワークに対応する。また、本実施形態では、試験クライアント装置２１−４が第３の通信装置（第１の通信装置に対して他の通信装置であり、第２の通信装置と同じ装置を例とした。）に対応し、当該試験クライアント装置２１−４が接続されたローカルネットワーク（ローカルネットワークＢＢ）が第４のネットワーク（第３のネットワークと同じネットワークを例とした。）に対応する。
【００８７】
以上、本発明の実施形態について図面を参照して詳述したが、具体的な構成はこの実施形態に限られるものではなく、本発明の要旨を逸脱しない範囲の設計変更等も含まれる。
【符号の説明】
【００８８】
１…通信システム、１１…試験サーバ装置、１２…データベース、１３…オペレータ端末装置、１４…チケットシステム、２１−１〜２１−４…試験クライアント装置、３１…基地局装置、３２…モバイル端末装置、Ｒ１〜Ｒ３、Ｒ１１〜Ｒ１３、Ｒ２１〜Ｒ２３、Ｒ３１〜Ｒ３３、Ｒ４１〜Ｒ４２、Ｒ５１〜Ｒ５２、Ｒ６１、Ｒ７１〜Ｒ７２、Ｒ８１、Ｒ９１〜Ｒ９２、Ｒ１０１…ルータ装置、１０１〜１０２…ＩＰＶネットワーク、２０１、３０１…記憶部、２０２、３０２…通信部、２０３、３０３…制御部、２２１、３２４…要求信号受信部、２２２…特定部、２２３…情報取得部、２２４…情報送信部、２２５、３２３…通信品質測定部、２２６、３２１…要求信号送信部、２４１、３４１…入力部、２４２、３４２…出力部、３２２…情報受信部、４０１…ネットワーク通信品質情報、Ａ１…監視ネットワーク、Ｂ１…バックボーンネットワーク、Ｃ１〜Ｃ２…ネットワーク間インタフェース、Ｄ１〜Ｄ２…インターネットネットワーク
【図１】
2016184867.tif 000003
【図２】
2016184867.tif 000004
【図３】
2016184867.tif 000005
【図４】
2016184867.tif 000006